【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
ユーザにより視聴された番組の番組情報を取得する番組情報取得手段と、
前記取得された番組情報から前記番組に関連するキーワードを抽出するキーワード抽出手段と、
前記抽出されたキーワードによりネットワーク上の文書を検索し、検索結果を取得する検索結果取得手段と、
前記取得された検索結果から前記キーワードに対応する代表的なネットワーク上の文書を取得する文書取得手段と、
前記取得された検索結果及び代表的な文書を記憶手段に記憶させる記憶制御手段と、
前記記憶手段に記憶されている検索結果及び代表的な文書を表示させる表示制御手段と、
を有し、
前記表示制御手段は、前記キーワードによりネットワーク上の文書を検索するユーザ操作が行われた場合に、前記記憶手段に記憶されている当該キーワードに対応する検索結果を表示させ、当該キーワードによりネットワーク上の文書を検索して検索結果を新たに取得し、当該新たに取得された検索結果が前記表示された検索結果と異なるとき、前記表示された検索結果に代えて前記新たに取得された検索結果を表示させることを特徴とする情報処理装置。
【請求項２】
前記表示制御手段は、前記キーワードに対応する代表的なネットワーク上の文書にアクセスするユーザ操作が行われた場合に、前記記憶手段に記憶されている当該文書を表示させ、当該文書をネットワークから新たに取得し、当該新たに取得された文書が前記表示された文書と異なるとき、前記表示された文書に代えて前記新たに取得された文書を表示させることを特徴とする請求項１に記載の情報処理装置。
【請求項３】
前記番組情報は、複数の項目を含み、
前記キーワード抽出手段は、前記各項目に予め割り当てられた重みを用い、前記キーワードの出現に対し、当該キーワードが抽出された項目に応じた重み付けを行って、前記キーワードの出現度合いを示す指標値を計算し、前記キーワードとその指標値とが対応付けられたキーワード管理情報を生成することを特徴とする請求項１又は２に記載の情報処理装置。
【請求項４】
前記番組情報は、番組の種類を示す種類情報を含み、
前記キーワード抽出手段は、前記種類毎に前記各項目に予め割り当てられた重みを用い、前記キーワードの出現に対し、当該キーワードが抽出された番組情報の種類情報により示される種類と、当該キーワードが抽出された項目とに応じた重み付けを行って、前記指標値を計算することを特徴とする請求項３に記載の情報処理装置。
【請求項５】
前記番組の種類は、当該番組が属するジャンル中のサブジャンルであることを特徴とする請求項４に記載の情報処理装置。
【請求項６】
前記番組情報は、さらに追加特殊文字を含み、
前記キーワード抽出手段は、前記追加特殊文字の各種類に予め割り当てられた重みを用い、前記キーワードの出現に対し、前記種類と、前記項目と、当該キーワードが抽出された番組情報の追加特殊文字の種類とに応じた重み付けを行って、前記指標値を計算することを特徴とする請求項３から５のいずれかに記載の情報処理装置。
【請求項７】
前記キーワード抽出手段は、前記キーワードに対し、前記キーワード管理情報に当該キーワードを保持しておく期限を設定することを特徴とする請求項３から６のいずれかに記載の情報処理装置。
【請求項８】
前記記憶制御手段は、前記検索結果又は前記文書に対し、前記記憶手段に当該検索結果又は文書を保持しておく期限を設定することを特徴とする請求項１から７のいずれかに記載の情報処理装置。
【請求項９】
ネットワーク上の文書を検索するための検索画面の表示に用いられる検索画面表示用情報を、前記抽出されたキーワードが検索キーワードとして選択可能に前記検索画面に表示されるように編集する表示用情報編集手段をさらに有することを特徴とする請求項１から８のいずれかに記載の情報処理装置。
【請求項１０】
前記検索結果又はその記憶場所、前記代表的な文書又はその記憶場所、前記キーワード管理情報、及び前記検索画面表示用情報のうち少なくとも１つの情報を他の情報処理装置との間で送信又は受信することを特徴とする請求項１から９のいずれかに記載の情報処理装置。
【請求項１１】
ユーザにより視聴された番組の番組情報を取得する番組情報取得ステップと、
前記取得された番組情報から前記番組に関連するキーワードを抽出するキーワード抽出ステップと、
前記抽出されたキーワードによりネットワーク上の文書を検索し、検索結果を取得する検索結果取得ステップと、
前記取得された検索結果から前記キーワードに対応する代表的なネットワーク上の文書を取得する文書取得ステップと、
前記取得された検索結果及び代表的な文書を記憶手段に記憶させる記憶制御ステップと、
前記記憶手段に記憶されている検索結果及び代表的な文書を表示させる表示制御ステップと、
を有し、
前記表示制御ステップでは、前記キーワードによりネットワーク上の文書を検索するユーザ操作が行われた場合に、前記記憶手段に記憶されている当該キーワードに対応する検索結果を表示させ、当該キーワードによりネットワーク上の文書を検索して検索結果を新たに取得し、当該新たに取得された検索結果が前記表示された検索結果と異なるとき、前記表示された検索結果に代えて前記新たに取得された検索結果を表示させることを特徴とする情報処理方法。
【請求項１２】
前記表示制御ステップでは、前記キーワードに対応する代表的なネットワーク上の文書にアクセスするユーザ操作が行われた場合に、前記記憶手段に記憶されている当該文書を表示させ、当該文書をネットワークから新たに取得し、当該新たに取得された文書が前記表示された文書と異なるとき、前記表示された文書に代えて前記新たに取得された文書を表示させることを特徴とする請求項１１に記載の情報処理ステップ。
【請求項１３】
前記番組情報は、複数の項目を含み、
前記キーワード抽出ステップでは、前記各項目に予め割り当てられた重みを用い、前記キーワードの出現に対し、当該キーワードが抽出された項目に応じた重み付けを行って、前記キーワードの出現度合いを示す指標値を計算し、前記キーワードとその指標値とが対応付けられたキーワード管理情報を生成することを特徴とする請求項１１又は１２に記載の情報処理方法。
【請求項１４】
前記番組情報は、番組の種類を示す種類情報を含み、
前記キーワード抽出ステップでは、前記種類毎に前記各項目に予め割り当てられた重みを用い、前記キーワードの出現に対し、当該キーワードが抽出された番組情報の種類情報により示される種類と、当該キーワードが抽出された項目とに応じた重み付けを行って、前記指標値を計算することを特徴とする請求項１３に記載の情報処理方法。
【請求項１５】
前記番組の種類は、当該番組が属するジャンル中のサブジャンルであることを特徴とする請求項１４に記載の情報処理方法。
【請求項１６】
前記番組情報は、さらに追加特殊文字を含み、
前記キーワード抽出ステップでは、前記追加特殊文字の各種類に予め割り当てられた重みを用い、前記キーワードの出現に対し、前記種類と、前記項目と、当該キーワードが抽出された番組情報の追加特殊文字の種類とに応じた重み付けを行って、前記指標値を計算することを特徴とする請求項１３から１５のいずれかに記載の情報処理方法。
【請求項１７】
前記キーワード抽出ステップでは、前記キーワードに対し、前記キーワード管理情報に当該キーワードを保持しておく期限を設定することを特徴とする請求項１３から１６のいずれかに記載の情報処理方法。
【請求項１８】
前記記憶制御ステップでは、前記検索結果又は前記文書に対し、前記記憶手段に当該検索結果又は文書を保持しておく期限を設定することを特徴とする請求項１１から１７のいずれかに記載の情報処理方法。
【請求項１９】
ネットワーク上の文書を検索するための検索画面の表示に用いられる検索画面表示用情報を、前記抽出されたキーワードが検索キーワードとして選択可能に前記検索画面に表示されるように編集する表示用情報編集ステップをさらに有することを特徴とする請求項１１から１８のいずれかに記載の情報処理方法。
【請求項２０】
前記検索結果又はその記憶場所、前記代表的な文書又はその記憶場所、前記キーワード管理情報、及び前記検索画面表示用情報のうち少なくとも１つの情報を送信又は受信するステップをさらに有することを特徴とする請求項１１から１９のいずれかに記載の情報処理方法。
【手続補正２】
【補正対象書類名】明細書
【補正対象項目名】０００７
【補正方法】変更
【補正の内容】
【０００７】
本発明に係る情報処理装置は、ユーザにより視聴された番組の番組情報を取得する番組情報取得手段と、前記取得された番組情報から前記番組に関連するキーワードを抽出するキーワード抽出手段と、前記抽出されたキーワードによりネットワーク上の文書を検索し、検索結果を取得する検索結果取得手段と、前記取得された検索結果から前記キーワードに対応する代表的なネットワーク上の文書を取得する文書取得手段と、前記取得された検索結果及び代表的な文書を記憶手段に記憶させる記憶制御手段と、前記記憶手段に記憶されている検索結果及び代表的な文書を表示させる表示制御手段と、を有し、前記表示制御手段は、前記キーワードによりネットワーク上の文書を検索するユーザ操作が行われた場合に、前記記憶手段に記憶されている当該キーワードに対応する検索結果を表示させ、当該キーワードによりネットワーク上の文書を検索して検索結果を新たに取得し、当該新たに取得された検索結果が前記表示された検索結果と異なるとき、前記表示された検索結果に代えて前記新たに取得された検索結果を表示させることを特徴とする。
【手続補正３】
【補正対象書類名】明細書
【補正対象項目名】０００８
【補正方法】変更
【補正の内容】
【０００８】
また、本発明に係る情報処理方法は、ユーザにより視聴された番組の番組情報を取得する番組情報取得ステップと、前記取得された番組情報から前記番組に関連するキーワードを抽出するキーワード抽出ステップと、前記抽出されたキーワードによりネットワーク上の文書を検索し、検索結果を取得する検索結果取得ステップと、前記取得された検索結果から前記キーワードに対応する代表的なネットワーク上の文書を取得する文書取得ステップと、前記取得された検索結果及び代表的な文書を記憶手段に記憶させる記憶制御ステップと、前記記憶手段に記憶されている検索結果及び代表的な文書を表示させる表示制御ステップと、を有し、前記表示制御ステップでは、前記キーワードによりネットワーク上の文書を検索するユーザ操作が行われた場合に、前記記憶手段に記憶されている当該キーワードに対応する検索結果を表示させ、当該キーワードによりネットワーク上の文書を検索して検索結果を新たに取得し、当該新たに取得された検索結果が前記表示された検索結果と異なるとき、前記表示された検索結果に代えて前記新たに取得された検索結果を表示させることを特徴とする。